(57)【要約】【課題】通話時の周囲雑音の影響を軽減する。【解決手段】マイク７を使用して周囲雑音を監視する。ハンドセット通話時、周囲雑音が大きい場合、受話レベルを上げたり、送話の閾値レベルを上げたり、エコーキャンセラ９をＯＦＦとする。ハンズフリー通話時、周囲雑音が大きい場合、送話の閾値レベルを上げる。【選択図】  図１
2006287431.tif 000002
【特許請求の範囲】
【請求項１】
ハンズフリーのマイクを使用して周囲雑音を監視する周囲雑音監視手段と、
前記周囲雑音のレベルに応じて送話および受話の少なくとも一方に関する音声の設定を調整する音声設定調整手段と
を備えたことを特徴とする電話装置。
【請求項２】
請求項１に記載された電話装置において、
前記音声設定調整手段は、前記周囲雑音のレベルが大きい場合、受話信号に対する増幅率を上げることを特徴とする電話装置。
【請求項３】
請求項１に記載された電話装置において、
前記音声設定調整手段は、前記周囲雑音のレベルが大きい場合、音声信号を送話信号として通過させる際の閾値レベルを上げることを特徴とする電話装置。
【請求項４】
請求項１に記載された電話装置において、
前記音声設定調整手段は、前記周囲雑音のレベルが大きい場合、受信信号に回り込む送信信号によって生じるエコーをキャンセルするエコーキャンセラをＯＦＦとすることを特徴とする電話装置。
【請求項５】
請求項１に記載された電話装置において、
前記音声設定調整手段は、ハンドセット通話時、直前の前記周囲雑音のレベルが大きい場合、受話信号に対する増幅率および音声信号を送話信号として通過させる際の閾値レベルを上げ、受信信号に回り込む送信信号によって生じるエコーをキャンセルするエコーキャンセラをＯＦＦとすることを特徴とする電話装置。
【請求項６】
請求項１に記載された電話装置において、
前記音声設定調整手段は、ハンズフリー通話時、直前の前記周囲雑音のレベルが大きい場合、音声信号を送話信号として通過させる際の閾値レベルを上げることを特徴とする電話装置。
【発明の詳細な説明】
【技術分野】
【０００１】
この発明は、周囲雑音のレベルに応じて送話や受話に関する音声の設定を調整する電話装置に関するものである。
【背景技術】
【０００２】
従来より、電話装置として、ハンズフリー機能を備えた電話機がある。この電話機は、送話部と受話部とを備えたハンドセットとは別に、スピーカとマイクを備えている（特許文献１参照）。このスピーカとマイクにより、ハンドセットを置いての通話、すなわちハンズフリーでの通話が可能である。
なお、以下の説明では、ハンズフリーでの通話（ハンズフリー通話）に対して、ハンドセットを用いての通話をハンドセット通話と呼ぶことにする。
【０００３】
【特許文献１】特開昭６３−２６６９５０号公報
【発明の開示】
【発明が解決しようとする課題】
【０００４】
しかしながら、従来の電話機によると、周囲雑音が大きい環境では、送話した音声が相手側に聞こえにくくなったり、逆に相手側から受話した音声が聞こえにくくなったりするという問題があった。また、ハンズフリー機能を備えた電話機では、ハンズフリー通話時に音声が揺れたりするという問題があった。
【０００５】
本発明は、このような課題を解決するためになされたもので、その目的とするところは、通話時の周囲雑音の影響を軽減することができる電話装置を提供することにある。
【課題を解決するための手段】
【０００６】
このような目的を達成するために本発明は、ハンズフリーのマイクを使用して周囲雑音を監視する周囲雑音監視手段と、周囲雑音のレベルに応じて送話および受話の少なくとも一方に関する音声の設定を調整する音声設定調整手段とを設けたものである。
この発明において、音声の設定とは、例えば受話レベル（受話レベル受話信号に対する増幅率）、送話の閾値レベル（音声信号を送話信号として通過させる際の閾値レベル）、受信信号に回り込む送信信号によって生じるエコーをキャンセルするエコーキャンセラのＯＮ／ＯＦＦなどが考えられる。
周囲雑音のレベルが大きい場合、受話レベルを上げることによって、相手側の音声が聞き取り易くなる。
周囲雑音のレベルが大きい場合、送話の閾値レベルを上げることによって、閾値レベルよりも小さい周囲雑音をカットし、送話した音声を相手側に聞き取り易くすることができる。
周囲雑音のレベルが大きい場合、エコーキャンセラがＯＮとなっていると、周囲雑音が収束しないために擬似エコーが生じる虞れがある。この場合、エコーキャンセラをＯＦＦとすることによって、擬似エコーを防ぐことができる。
【０００７】
本発明において、ハンドセット通話時とハンズフリー通話時とで、調整する音声の設定項目を変えてもよい。例えば、ハンドセット通話時には、受話レベル、送話の閾値レベル、エコーキャンセラのＯＮ／ＯＦＦの設定を調整し、ハンズフリー通話時には送話の閾値レベルを調整する。ハンズフリー通話時に、周囲雑音が大きい場合、送話の閾値レベルを上げると、周囲雑音による音声の揺れが少なくなる。
【発明の効果】
【０００８】
本発明によれば、ハンズフリーのマイクを使用して周囲雑音を監視する周囲雑音監視手段と、周囲雑音のレベルに応じて送話および受話の少なくとも一方に関する音声の設定を調整する音声設定調整手段とを設けたので、周囲雑音が大きい場合、受話レベルや送話の閾値レベルを上げたり、エコーキャンセラをＯＦＦとするなどして、通話時の周囲雑音の影響を軽減することができるようになる。
【発明を実施するための最良の形態】
【０００９】
以下、本発明を図面に基づいて詳細に説明する。図１はこの発明に係る電話装置の一実施の形態の要部を示すブロック図である。この電話装置（電話端末）１００はハンズフリー機能を有している。
【００１０】
同図において、１は制御部、２は操作部、３は表示部、４は記憶部、５はハンドセット、６はスピーカ、７はマイク、８はレベル調整部、９はエコーキャンセラ、１０はエコーサプレッサ、１１は回線部である。
【００１１】
制御部１は、プロセッサなどからなるハードウェアと、これらのハードウェアと協働して各種機能を実現させるプログラムとによって実現される。
操作部２は、電話番号の入力を行うためのテンキーなど、各種操作を行うキーを備えている。表示部３は、液晶ディスプレイとされ、入力した電話番号などが表示される。
【００１２】
記憶部４には、本実施の形態特有のプログラムとして、ハンドセット通話時の音声設定調整プログラムＰＧ１とハンズフリー通話時の音声設定調整プログラムＰＧ２が格納されている。制御部１は、この音声設定調整プログラムＰＧ１，ＰＧ２に従い、後述するように周囲雑音のレベルに応じて送話および受話に関する音声の設定を調整する。
【００１３】
ハンドセット５は、レシーバ５−１とトランスミッタ５−２とを有し、レシーバ５−１が受話部を構成し、トランスミッタ５−２が送話部を構成する。
スピーカ６およびマイク７は、ハンズフリー通話のために設けられているものであるが、本実施の形態では、マイク７を常に動作状態としておき、このマイク７からの音声信号を制御部１へ与え、周囲の雑音を監視するようにしている。すなわち、マイク７は、ハンズフリー通話に際する送話部と、周囲雑音を監視するための入力部とを兼ねる。
【００１４】
レベル調整部８は、ハンドセット５のレシーバ５−１への受話信号に対する増幅率（受話レベル）を調整する第１の受話レベル調整部８−１と、ハンドセット５のトランスミッタ５−２からの音声信号を送話信号として通過させる際の閾値レベル（送話の閾値レベル）を調整する第１の送話閾値レベル調整部８−２と、スピーカ６への受話信号のレベルを調整する第２の受話レベル調整部８−３と、マイク７からの音声信号に対する送話の閾値レベルを調整する第２の送話閾値レベル調整部８−４とを備えている。
【００１５】
レベル調整部８において、受話レベル調整部８−１，８−３における受話レベルの調整、送話閾値レベル調整部８−２，８−４における送話の閾値レベルの調整は、制御部１からの指令によって行われる。
【００１６】
エコーキャンセラ９は、レベル調整部８と回線部１１との間に設けられ、受信信号に回り込む送話信号によって生じるエコーをキャンセルする。エコーキャンセラ９のＯＮ／ＯＦＦは、制御部１からの指令によって制御され、通常はＯＮとされている。
【００１７】
エコーサプレッサ１０は、エコーキャンセラ９と回線部１１との間に設けられ、マイク７からの送話信号があってスピーカ６への受話信号がない場合、スピーカ６のボリュームを下げて、ハンズフリー時に生じるエコーを低減する。
【００１８】
〔ハンドセット通話時〕
次に、図２に示すフローチャートを用いて、記憶部４中の音声設定調整プログラムＰＧ１に従って制御部１が実行するハンドセット通話時の音声設定調整動作について説明する。
制御部１は、電話端末１００の待機状態において、マイク７からの音声信号を取り込み、その音声信号のレベルを周囲雑音レベルとして測定する（ステップ２０１）。この周囲雑音レベルの測定は、電話端末１００の待機状態において、周期的に行なわれる。
【００１９】
このような周囲雑音レベルの監視状態で、ハンドセット５を用いての通話（ハンドセット通話）による着信あるいは発信が確認されると（ステップ２０２のＹＥＳ）、制御部１はその時（ハンドセット通話直前）の周囲雑音レベルの測定値が予め定められているレベル範囲Ａとを比較し（ステップ２０３）、周囲雑音レベルの測定値がレベル範囲Ａ内にあれば「通常」、レベル範囲Ａよりも高ければ「周囲雑音大」、レベル範囲Ａよりも低ければ「周囲雑音小」と判断する。
【００２０】
制御部１は、周囲雑音レベルを「通常」と判断すると、送話および受話に関する音声の設定は調整せずに、そのままハンドセット通話を開始させる（ステップ２０９）。
【００２１】
これに対し、「周囲雑音大」と判断すると、制御部１は、受話レベル調整部８−１へ指令を送り、レシーバ５−１への受話信号に対する増幅率（受話レベル）を上げる（ステップ２０４）。また、送話閾値レベル調整部８−２へ指令を送り、トランスミッタ５−２からの音声信号を送信信号として通過させる際の閾値レベル（送話の閾値レベル）を上げる（ステップ２０５）。また、その時の周囲雑音レベルとエコーキャンセラ９の正常動作範囲として予め定められているレベル範囲Ｂとを比較し、周囲雑音レベルがレベル範囲Ｂにない場合には、エコーキャンセラ９をＯＦＦとする（ステップ２０７）。
【００２２】
また、「周囲雑音小」と判断すると、制御部１は、送話閾値レベル調整部８−２へ指令を送り、トランスミッタ５−２からの音声信号を送信信号として通過させる際の閾値レベル（送話の閾値レベル）を下げる（ステップ２０８）。
【００２３】
この例では、ステップ２０３での判断により、周囲雑音のレベルが大きい場合には、受話レベルが上げられるので（ステップ２０４）、相手側の音声が聞き取り易くなる。また、送話の閾値レベルが上げられるので（ステップ２０５）、閾値レベルよりも小さい周囲雑音がカットされ、送話した音声が相手側に聞き取り易くなる。また、周囲雑音のレベルが大きく、エコーキャンセラ９の正常動作範囲（レベル範囲Ｂ）から外れている場合には、エコーキャンセラ９がＯＦＦとされるので（ステップ２０７）、エコーキャンセラ９による擬似エコーを防ぐことができる。また、周囲雑音のレベルが小さい場合には、送話の閾値レベルが下げられるので（ステップ２０９）、周囲雑音の少ない低レベルの送話信号についても相手側へ送ることができる。
【００２４】
〔ハンズフリー通話時〕
次に、図３に示すフローチャートを用いて、記憶部４中の音声設定調整プログラムＰＧ２に従って制御部１が実行するハンズフリー通話時の音声設定調整動作について説明する。
制御部１は、電話端末１００の待機状態において、マイク７からの音声信号を取り込み、その音声信号のレベルを周囲雑音レベルとして測定する（ステップ３０１）。この周囲雑音レベルの測定は、電話端末１００の待機状態において、周期的に行なわれる。
【００２５】
このよう周囲雑音レベルの監視状態で、スピーカ６およびマイク７を用いての通話（ハンズフリー通話）による着信あるいは発信が確認されると（ステップ３０２のＹＥＳ）、制御部１はその時（ハンズフリー通話直前）の周囲雑音レベルの測定値と予め定められているレベル範囲Ａとを比較し（ステップ３０３）、周囲雑音レベルがレベル範囲Ａ内にあれば「通常」、レベル範囲Ａよりも高ければ「周囲雑音大」、レベル範囲Ａよりも低ければ「周囲雑音小」と判断する。
【００２６】
制御部１は、周囲雑音レベルを「通常」と判断すると、送話および受話に関する音声の設定は調整せずに、そのままハンドセット通話を開始させる（ステップ３０６）。
【００２７】
これに対し、「周囲雑音大」と判断すると、制御部１は、送話閾値レベル調整部８−４へ指令を送り、マイク７からの音声信号を送話信号として通過させる際の閾値レベル（送話の閾値レベル）を上げる（ステップ３０４）。また、「周囲雑音小」と判断すると、制御部１は、送話閾値レベル調整部８−４へ指令を送り、マイク７からの音声信号を送話信号として通過させる際お閾値レベル（送話の閾値レベル）を下げる（ステップ３０５）。
【００２８】
この例では、ステップ３０３での判断により、周囲雑音のレベルが大きい場合には、送話の閾値レベルが上げられるので（ステップ３０４）、閾値レベルよりも小さい周囲雑音がカットされ、周囲雑音による音声の揺れが少なくなる。また、周囲雑音のレベルが小さい場合には、送話の閾値レベルが下げられるので（ステップ３０５）、周囲雑音の少ない低レベルの送話信号についても音声の揺れなく相手側へ送ることが可能となる。
【００２９】
なお、上述した実施の形態では、図２に示したステップ２０６で周囲雑音レベルがエコーキャンセラ９の正常動作範囲にあるか否かをチェックし、正常動作範囲から外れている場合にエコーキャンセラ９をＯＦＦとしたが、エコーキャンセラ９の正常動作範囲にあるか否かに拘わらず、エコーキャンセラ９をＯＦＦとするようにしてもよい。
【００３０】
また、上述した実施の形態では、送話および受話に関する音声の設定として、受話レベル、送話の閾値レベル、エコーキャンセラのＯＮ／ＯＦＦを例示したが、これらに限られるものでないことも言うまでもない。また、送話に関する音声の設定、受話に関する音声の設定の何れか一方を調整するようにしてもよい。
【図面の簡単な説明】
【００３１】
【図１】本発明に係る電話装置の一実施の形態の要部を示すブロック図である。
【図２】この電話装置の制御部が実行するハンドセット通話時の音声設定調整動作を説明するためのフローチャートである。
【図３】この電話装置の制御部が実行するハンズフリー通話時の音声設定調整動作を説明するためのフローチャートである。
【符号の説明】
【００３２】
１…制御部、２…操作部、３…表示部、４…記憶部、５…ハンドセット、５−１…レシーバ、５−２…トランスミッタ、６…スピーカ、７…マイク、８…レベル調整部、８−１，８−３…受話レベル調整部、８−２，８−４…送話閾値レベル調整部、９…エコーキャンセラ、１０…エコーサプレッサ、１１…回線部、ＰＧ１…ハンドセット通話時の音声設定調整プログラム、ＰＧ２…ハンズフリー通話時の音声設定調整プログラム、１００…電話装置（電話端末）。
【図１】
2006287431.tif 000003
【図２】
2006287431.tif 000004
【図３】
2006287431.tif 000005